(57)【特許請求の範囲】
【請求項１】
衛生薄葉紙を収納箱に収納した衛生薄葉紙製品を透明の樹脂製フィルムで包装した衛生薄葉紙製品包装体であって、
前記収納箱の外面が、６０度鏡面光沢度が６０〜９０であり、Ｌ＊ａ＊ｂ＊表色系におけるＬ＊が０〜７０かつ、ａ＊及びｂ＊の少なくとも一方の絶対値が１０〜６０であり、
前記フィルムは、ＪＩＳ  Ｋ  ７１０５に基づくヘイズ値が１．０〜９．０であり、
前記包装体は、前記収納箱のＬ＊ａ＊ｂ＊の値と樹脂製フィルムを通して測定した同位置のＬ＊ａ＊ｂ＊の値との色差Δｅが０〜１０の範囲にあり、かつ、包装体外面の６０度鏡面光沢度が９０〜１７０であることを特徴とする衛生薄葉紙製品包装体。
【請求項２】
衛生薄葉紙製品が、複数個まとめて包装されている請求項１記載の衛生薄葉紙製品包装体。
【請求項３】
包装がシュリンク包装である請求項１又は２記載の衛生薄葉紙製品包装体。
【請求項４】
樹脂製フィルムは、ＪＩＳ  Ｋ  ７１２７に準じた破断点強度が５〜６０Ｎ／２５ｍｍである請求項１〜３の何れか１項に記載の衛生薄葉紙製品包装体。
【請求項５】
樹脂製フィルムは、ＪＩＳ  Ｋ  ７１２７に準じた伸び率が５０〜８００％である請求項１〜４の何れか１項に記載の衛生薄葉紙製品包装体。
【請求項６】
樹脂製フィルムは、ＪＩＳ  Ｋ  ７１２８−１に準じた引裂強度が２０〜７００ｃＮ  である請求項１〜５の何れか１項に記載の衛生薄葉紙製品包装体。
【発明の詳細な説明】
【技術分野】
【０００１】
衛生薄葉紙製品を包装した衛生薄葉紙包装体に関する。
【背景技術】
【０００２】
ワイプ、ウェス、ティシュペーパー等の衛生薄葉紙を多数、カートン箱とも呼ばれる収納箱に納めた衛生薄葉紙製品はよく知られるところである。
この衛生薄葉紙製品は、複数個を包装した状態で市販に供されることが多く、その場合一般的には収納箱外面の印刷が視認できるように透明の樹脂製フィルムを用いて包装される。
ところで、近年、衛生薄葉紙製品においては、衛生薄葉紙の機能性等の付加価値等に伴い、顧客吸引力を付与すべく、収納箱外面の意匠において極めて光沢感のある印刷を施したものが市販に供されるようになってきている。
【特許文献１】特開２００６−６９６３７
【発明の開示】
【発明が解決しようとする課題】
【０００３】
しかしながら、従来の製品はフィルム包装することで、この光沢感のある収納箱外面の優れた意匠性が感じられなくなり、特に複数個組にした場合に、需用者への購買意欲を十分に向上させることができていなかった。
特に、タイトに包装でき内容物のぐらつきが少ないことから、この種の包装方法として適するとされる、収納箱を包装材で包皮したのち収縮させるシュリンク包装では、収納箱外面の光沢感が極端に感じられなくなる。
そこで、本発明の主たる課題は、収納箱外面の優れた意匠性を感じやすい衛生薄葉紙製品包装体を提供することにある。
【課題を解決するための手段】
【０００４】
上記課題を解決した本願発明は、衛生薄葉紙を収納箱に収納した衛生薄葉紙製品を透明の樹脂製フィルムで包装した衛生薄葉紙製品包装体であって、
前記収納箱の外面が、６０度鏡面光沢度が６０〜９０であり、Ｌ＊ａ＊ｂ＊表色系におけるＬ＊が０〜７０かつ、ａ＊及びｂ＊の少なくとも一方の絶対値が１０〜６０であり、
前記フィルムは、ＪＩＳ  Ｋ  ７１０５に基づくヘイズ値が１．０〜９．０であり、
前記包装体は、前記収納箱のＬ＊ａ＊ｂ＊の値と樹脂製フィルムを通して測定した同位置のＬ＊ａ＊ｂ＊の値との色差Δｅが０〜１０の範囲にあり、かつ、包装体外面の６０度鏡面光沢度が９０〜１７０であることを特徴とする衛生薄葉紙製品包装体である。
本発明の構成をとることで、包装の有無を確認できつつ、収納箱の意匠性を外部から視認できる。特に、本発明で規定する６０度鏡面光沢度及びＬ＊ａ＊ｂ＊表色系の色を有する収納箱は、落ち着いた濃色でありながら、くすみがなく光沢感があることで、店頭に並んでも消費者の目を引き、さらに高級感を与えることができる収納箱であり、その意匠性を樹脂製フィルムがあっても外部から十分に視認できるものとなる。
前記衛生薄葉紙製品は、複数個まとめて包装されているのが望ましい。本発明はフィルムによってまとめられるため、複数個としたときの取り扱い性が高まる。
特に、包装がシュリンク包装であるとタイトとなり見栄えがよくなり、複数個とまとめたときに内部で各収納箱が移動せずに一体となった状態を保持でき、取り扱い性が格段二向上する。
また、樹脂製フィルムは、ＪＩＳ  Ｋ  ７１２７に準じた破断点強度が５〜６０Ｎ／２５ｍｍであるのが望ましい。シュリンク包装を行う際や持ち運びの際に、収納箱の角部等からフィルムが意図せずに裂開するおそれが格段に小さくなる。
さらに、樹脂製フィルムは、ＪＩＳ  Ｋ  ７１２７に基づく伸び率が５０〜８００％であるのが望ましい。フィルムが裂けがたくなる。
他方、樹脂製フィルムは、ＪＩＳ  Ｋ  ７１２８−１に準じた引裂強度が２０〜７００ｃＮであるのが望ましい。意図せず裂けがたく、使用時には包装を破いて内部の収納箱を取り出しやすいものとなる。
【発明の効果】
【０００５】
以上のとおり、本発明によれば、収納箱外面の優れた意匠性を感じやすい衛生薄葉紙製品包装体が提供される。
【発明を実施するための最良の形態】
【０００６】
次いで、本発明の実施の形態を図面を参照しながら以下詳述する。
本発明は、衛生薄葉紙を収納箱Ｙ１に収納した衛生薄葉紙製品を透明の樹脂製フィルムで包装した衛生薄葉紙製品包装体Ｘ１である。
＜衛生薄葉紙＞
前記衛生薄葉紙は、限定されるものではなく、ティシュペーパー、手拭きや口拭き等に用いられる紙ナプキン、厨房等で調理の際に利用されるキッチンペーパー、トイレで用いられるペーパータオル、学校や企業の実験室において試験管やビーカー等の試験器具の汚れや水滴等の拭き取りに用いられる紙製産業用ワイパー等が例示できる。
これらの衛生薄葉紙は、各用途に応じて適宜設計し、パルプを主原料とする抄紙原料を抄紙機にて抄紙する既知の抄紙技術により製造することができる。
【０００７】
＜収納箱＞
また、衛生薄葉紙自体の大きさ、紙厚、プライ数及び組成は本発明では限定されない。
他方、前記収納箱Ｙ１は、上面に環状のミシン目線１１を有する紙製の箱本体１（以下、紙箱ともいう）と、前記ミシン目線１１により囲まれる範囲を紙箱内側から覆うシート材２とを有する。
紙箱１は、衛生薄葉紙収納箱Ｙ１の外形をなすものであり、その大きさ、形状、展開形状等は既知の衛生薄葉紙収納箱Ｙ１の紙箱の構成を採用できる。
その形状としては、図示例の一対の平行な長手縁とこれらよりも短い一対の平行な短手縁とで構成される長方形の上面を有する直六面体形状が例示でき、その構造としては、上面、底面及びこれらを連接する側面と、各面の長手方向両側縁に連接された底面側端面片、側面端面片、上面側端面片とを有し、前記側面端面片を箱内面側に折り返した後、これに重ねて上面側端面片と底面側端面片とを折り曲げ、各片の当接部分をホットメルト接着材等により接着して構成される構造が例示できる。
【０００８】
他方、紙箱１の上面に形成される環状のミシン目線１１は、既知の方法により形成することができ、これにより囲まれる範囲の具体的形状についても限定されない。
ただし、衛生薄葉紙収納箱Ｙ１においては、図示例の如く、紙箱上面１Ｕの長手方向に沿う方向を長辺とする略楕円形状又は矩形とされている。取り出し性に優れるとともに、代表的であって多くの既存の製造ラインで製造可能であることからもこの形状が好適である。
ここで、紙箱１の素材（以下、紙素材ともいう）としては、バージンパルプ、古紙パルプ等の各種のパルプを主原料とする紙層が積層された既知のボール紙が適する。特には、バージンパルプを原料として白色系填料が塗工された表層と、雑誌古紙、新聞古紙等の安価な再生パルプを原料とする紙層が積層された層構造をなす白コートボール紙が適する。
紙箱の素材の米坪は、２５０〜５００ｇ／ｍ2、好適には３５０〜４００ｇ／ｍ2である。
【０００９】
他方、本形態の収納箱Ｙ１は、特徴的にその外面のＪＩＳ  Ｋ  ７１０５に基づく６０度鏡面光沢度が６０〜９０の範囲にある。好適には６５〜８５の範囲にある。光沢度が６０未満となると汎用的に使用されているティシュペーパーの収納箱と変わりなく、消費者の目を引かず、高級感が感じられ難くなる。また、後述するフィルムによる包装との関係で、包装後の光沢感が発現し難くなり、本発明の効果が効果的に発現されない。反対に９０を超えても感者の高級感の感じ方が向上しない。
【００１０】
他方、収納箱Ｙ１の外面は、ＪＩＳ  Ｚ  ８７２９に基づくＬ＊ａ＊ｂ＊表色系のＬ＊が０〜７０かつ、ａ＊及びｂ＊の少なくとも一方の絶対値が１０〜６０である。
この範囲であると色が濃く、くすみの無い色であり、ほとんどの観者が収納箱外面を視認したときに、高級感があると判断される外観を呈する。
かかる光沢感やＬ＊ａ＊ｂ＊表色系の値は、例えば、紙箱外面の印刷等により調整することができる。紙箱外面の印刷は、フレキソ印刷、グラビア印刷、オフセット印刷等の既知の印刷方法により行えばよい。光沢感、前記表色系を達成するのに特に適するには、フレキソ印刷で印刷後、ＵＶグロスニスや、アクアプレスコートなどにより光沢感だし、高級感を出す。
【００１１】
他方、紙箱１は、その外面に適宜の模様が印刷されていてもよい。図示例では、複数の花の図案１ｂ，１ｂ…を点在するように配して花柄模様が配されている。ただし、模様は、この花柄に限定されることなく、螺旋模様、波模様、ドット模様、亀甲模様、星模様、十字模様、幾何学模様など適宜の文字・図形・絵・記号の単体又はこれらの組み合わせにより構成される適宜の模様を採用することができる。
なお、模様が配されている場合には、箱外面の光沢感やＬ＊ａ＊ｂ＊表色系は、その部分によって相違するが、その一部にでも本発明の光沢感やＬ＊ａ＊ｂ＊表色系の値を満たす部分があれば、本願発明の効果を少なからず奏する。従って、箱外面の一部にでも本発明の光沢感やＬ＊ａ＊ｂ＊表色系の値を満たす部分があれば本発明の収納箱に該当する。ただし、模様を有する場合には、図案のない地の部分が広範であり色による高級感の差を感じる際に最も寄与する部分となるため、前記光沢感及びＬ＊ａ＊ｂ＊表色系は、最も面積の多い地の部分１ａの値であるのがよい。さらに、当該数値範囲を満たす範囲が箱外面の面積の３０％以上あれば高級感が確実に感じられる。
このように模様を付与するには、フレキソ印刷、グラビア印刷、オフセット印刷等の既知の印刷方法により行うことができる。
【００１２】
他方、シート材２は、取り出し口（ミシン目線により囲まれる範囲）１１ａのサイズより大きく、例えば、方形であり紙箱上面の内面面側に接着剤により接着されている。
前記シート材２のスリット２１はミシン目線１１により囲まれる範囲に位置されており、前記環状ミシン目線１１に沿ってミシン目線により囲まれる範囲を引き剥がすことにより、取り出し口１２が形成されるとともに、前記シート材２及びそれに形成されたスリット２１が取り出し口を介して露出される。
紙箱１への接着に用いる接着剤の種類は特に限定されない。好適には、リサイクルの点で水生接着剤が好ましい。
スリット２１の長さは、取り出し口１２の長手方向全長より短くすることが望ましいが、取り出し口１２の長手方向全長と同じ長さにすることもでき、さらに、シート材２の長手方向長さより短い条件の下で、取り出し口１２の長手方向全長より長くすることもできる。
紙箱１とシート材２との接着力（剥離強度）は特に限定されない。従来製品における紙箱とシート材２との接着力と同程度でよい。
シート材２の好適な素材は、ポリエチレンフィルムであるが、ポリプロピレン、ポリエステル、合成紙、クラフト紙、化繊混抄紙、ラミネート紙、薄葉紙なども例示できる。
シート材２の厚みは、３０〜２００μｍが適する。３０μｍ未満では、強度的に不足し、ティシュペーパーの取り出し時において裂けあるいは破断の確率が高くなる。逆に、２００μｍを超えると、強度の問題はないものの、取り出し難くなり、またコスト高となる。
【００１３】
＜衛生薄葉紙製品＞
本発明にかかる衛生薄葉紙製品Ｙ１’は、上述の衛生薄葉紙を適宜折り畳む等して収納箱に納めたものである。その収納方法等は限定されないが、上記の収納箱の形態をとるならば、図２に示すように、いわゆる前記スリット２１から一枚の衛生薄葉紙Ｐを取り出すと次の一枚の一部が露出するように、多数の衛生薄葉紙をポップアップ式に折り畳み束として納めるのがよい。
ポップアップ形式の衛生薄葉紙束の製造は、既知のインターホルダーにより衛生薄葉紙原紙を折り畳んだ後に、所定の大きさに切断する方法を採用できる。
なお、本発明においては、衛生薄葉紙束の高さや大きさ等は特に限定されるものではなく、収納箱の大きさに併せて適宜変更することができる。
【００１４】
＜衛生薄葉紙製品包装体＞
本発明の衛生薄葉紙製品包装体Ｘ１は、特に図３に示されるように、上述の６０度鏡面光沢度、Ｌ＊値等を有する収納箱Ｙ１に衛生薄葉紙を収めた衛生薄葉紙製品Ｙ１’を透明の樹脂製フィルム２０により包装したものである。
本形態は好適な例として、前記衛生薄葉紙製品Ｙ１’が、３個まとめて包装されている。ただし、本発明においては包装する個数は特に限定されない。３〜５個程度とするのに適する。この場合、衛生薄葉紙製品Ｙ１’が上述のように直六面体である場合には図示例のごとく、その上面と底面とが当接するように積み重ねた状態に包装するのが望ましい。側面の意匠が効果的に視認できる。
【００１５】
他方、本包装体Ｘ１においては具体的な包装態様は限定されないが、実質的に衛生薄用製品Ｙ１’の外面にフィルムがシート状のまま密接するように包装される態様を採る。少なくとも収納箱Ｙ１の側面１Ｗにおいてはフィルムが密接するように包装する形態とする。なお、実質的にとは収納箱Ｙ１の形状、フィルム同士の接着部分など包装するに際して必然的に生ずる若干の撓みを許容する意味である。
このような包装態様を達成するには、シート状、筒状、袋状の樹脂製フィルムにより衛生薄葉紙製品Ｙ１’を包装するようにすればよい。包装方法としては、一般的なキャラメル包装でもよいが、収納箱Ｙ１との密着感があって高級感のある見栄えとなるシュリンク包装が極めて望ましい。このシュリンク包装は、フィルムの熱収縮等により被包装体に密着するよう包装する既知の方法である。本発明においても、既知のシュリンク包装の工程を採用できる。
【００１６】
他方、図示例の包装体Ｘ１は、好適な例として持ち運びを用意にするための取っ手部分３０が形成されている。取っ手部分３０は前記包装に用いるフィルムと同素材のフィルム又は他のフィルムを帯状として包装体外面に熱有着させるなどすればよい。その構成は限定されないが、包装に用いるフィルムと同素材の方がシール強度が高く、加工しやすい。  
【００１７】
他方、収納箱Ｙ１を包装する樹脂製フィルム２０は、ＪＩＳ  Ｋ  ７１０５に基づくヘイズ値が１．０〜９．０のものを用いる。９．０を越えると収納箱の外面の光沢感、色が包装によってくすみ、本発明の効果が得られ難くなる。１．０未満であると包装の際の取り扱い性、コスト面で好ましくない。
そして、本包装体Ｘ１は、さらに特徴的に、上記包装態様において、包装体外面の６０度鏡面度が９０〜１７０である。この包装体の６０度鏡面光沢度の測定は、収納箱外面にフィルムが皺無く密着している位置において測定した値である。９０未満であると高級感が発現せず、１７０を超えると反射によって収納箱外面の意匠が視識し難くなる。なお、この６０度鏡面光沢度の測定に際しては樹脂製フィルムが伸びて変形しない程度に適度に張力をかけた状態で測定する。すなわち、ピンと張った状態で測定する。
さらに、本包装体は、樹脂製フィルムが密着している部分のＬ＊ａ＊ｂ＊の値と、樹脂製フィルムを介さないで測定した収納箱の同位置のＬ＊ａ＊ｂ＊の値との色差Δｅが０〜１０、好適には０〜８の範囲にある。色差Δｅが１０を超えると収納箱の外観と、包装後の外観に差がでてしまい、収納箱のデザイン性や高級感を消費者に正しく伝えることが難しくなる。なお、色差Δｅは次式で算出する値である。
Δｅ＝√｛（ΔＬ＊）2＋（Δａ＊）2＋（Δｂ＊）2｝
ΔＬ＊＝（収納箱自体のＬ＊とフィルムを介して測定したＬ＊との差）
Δａ＊＝（収納箱自体のａ＊とフィルムを介して測定したａ＊との差）
Δｂ＊＝（収納箱自体のｂ＊とフィルムを介して測定したｂ＊との差）
他方、好ましくは上記包装体を構成する樹脂製フィルム２０は、ＪＩＳ  Ｋ  ７１２７に準じた破断点強度が５〜６０Ｎ／２５ｍｍであるのがよい。５Ｎ／２５ｍｍ未満であると包装体を製造する際に破れたり、収納箱の角部など力の加わりやすい位置から破断しやすく商品としての取り扱いがし難い。また、６０Ｎ／２５ｍｍを超えると被包装物、すなわち衛生薄葉紙製品を取り出し難くなる。特にシュリンク包装したときには、通常包装材を破いて被包装体を採りだす形態となるので、６０Ｎ／２５ｍｍを超える破断強度のフィルム２０は望ましくない。なお、準じたとしたのは、樹脂製フィルムの厚さを考慮せず、破断時の荷重：Ｎ／２５ｍｍを測定値とすることによる。また、試験片の種類はタイプ２（試験片幅２５ｍｍ×試験片長さ１５０ｍｍ、チャック間距離１００ｍｍ）とし、試験速度は、２００ｍｍ／ｍｉｎとする。
【００１８】
さらに、前記樹脂製フィルム２０は、ＪＩＳ  Ｋ  ７１２７に準じた伸び率が５０〜８００％、好適には１００〜７５０％であるのがよい。伸び率が８００％を超えると開封しづらくなり、５０未満であると裂けやすくなり、特に持ち運び時に破断しやすくなる。また、特に取っ手を形成したときには、前記所定の伸びがないと取っ手に手を通しづらくなったり、包装フィルムと取っ手フィルムのシール部分から破断しやくすなる。
【００１９】
さらに、樹脂製フィルム２０は、ＪＩＳ  Ｋ  ７１２８−１（トラウザー引裂法）に準じた引裂強度が２０〜７００ｃＮ、好適には５０〜６００ｃＮであるのが望ましい。引き裂き強度が７００ｃＮを超えると手で開封しづらくなり、２０ｃＮ未満であると持ち運び時に破断しやすくなる。なお、準じたとしたのは、樹脂製フィルムの厚さを考慮せず、引裂き力ｃＮを測定値とし、また、チャートの平均ではなくピーク値を測定値とし、試験片を５０ｍｍ×１５０ｍｍの大きさで、短手方向縁から二分するスリットを長手方向半分まで形成したものとしことによる。試験速度は２００／ｍｉｎとする。
【００２０】
この本発明に適する樹脂製フィルム２０としては、シュリンク包装を可能にする熱による収縮性（シュリンク性とも言われる）を有するものが好適である。なお、具体的な収縮率等は限定されないが、収納箱の大きさ、包装個数などを考慮して適宜選択する。
樹脂製フィルム２０の具体例としては、ＰＰ（ポリエチレン）フィルム、ＰＥ（ポリエチレン）／ＰＰ（ポリプロピレン）／ＰＥ（ポリエチレン）の積層構造を有するフィルム、ＰＥ（ポリエチレン）／ＰＰ（ポリプロピレン）の積層構造を有するフィルムが挙げられる。より具体的には、ノンスリップタイプポリエチレンフィルム（積水化学株式会社製）、ポリセットＵＭ（株式会社興人製）、ポリエチレンシュリンクフィルム（伏見樹脂製）等が好適に利用できる。
フィルム素材の厚さは１５〜４０μｍ、特に２０〜３０μｍであるのが望ましい。１５μｍ未満であるとフィルムの強度不足となり、持ち運び時に破れる恐れがあり、４０μｍを超えるとフィルムのくすみがでてきて包装後の外観が変わってしまうことに加え、強度が高くなり手で開封しづらくなる。
【実施例１】
【００２１】
次いで、本発明の実施例と比較例について見栄え、包装後のタイト性について試験したので、各例の物性・組成とともに表１に結果を示す。なお、見栄え、タイト性の測定方法は次のとおりである。なお、各実施例及び比較例は直六面体の収納箱に衛生薄葉紙をポップアップ式で折り畳み収納した衛生薄葉紙製品（２４０ｇ）を３個、上面と底面とが隣接する形態で積み重ねフィルム包装し、さらに巾６０ｍｍの取っ手を融着により形成したものである。
＜見栄え＞
収納箱そのものと、フィルムで包装した包装体を見比べた。包装することで見た目が劣ると感じた人が３０人中３人以下を◎、４〜９人を○、１０人以上のものを×とし、とした。
＜タイト性＞
直六面体の収納箱に衛生薄葉紙を収納した衛生薄葉紙製品を３個、上面と底面とが接するようにして積み重ねて梱包した衛生薄葉紙梱包体を水平台の上におき、製品１個分のみ水平台外に露出するようにして、どの程度垂れ下がったかを測定した。
＜取っ手強度＞
実用性を評価すべく、取っ手の強度の強度についてプッシュプルゲージに取っ手を引っ掛けて、手で破断するまで引っ張り、ピーク強度を測定した。
＜振り試験＞
取っ手を手に持ち、１８０度の範囲で半円を描くように振り、１０往復振ったとき、取ってが破断するか調べた。これを、３回行い３回とも破断しない場合を○、１回破断したものを△、２回または３回とも破断したものを×とした。
【００２２】
【表１】
0005001124.tif 000002
【００２３】
表１の結果より、本発明の実施例については、優れた光沢感、外面色を呈しており、見栄えの面で比較例よりも優れていることが理解される。また、タイト性にも優れ、この点からもしっかりとした高級感が得られるとともに取り扱い性にも優れると理解される。
【産業上の利用可能性】
【００２４】
本発明は、外面に印刷等を施した箱体を透明なフィルムで包装した包装体に利用できる。
【図面の簡単な説明】
【００２５】
【図１】本発明にかかる衛生薄葉紙製品（薄葉紙収納箱）の斜視図である。
【図２】本発明にかかる衛生薄葉紙製品（薄葉紙収納箱）の使用時の斜視図である。
【図３】本発明にかかる衛生薄葉紙製品包装体の斜視図である。
【符号の説明】
【００２６】
１…紙箱、１ａ…地の部分、１ｂ…花の図案、１Ｕ…紙箱上面、１Ｌ…上面長手縁、１Ｓ…上面短手縁、１Ｗ…紙箱側面、２…シート材、１１…ミシン目線、１１ａ…ミシン目線により囲まれる範囲、１２…取り出し口、２１…スリット、２０…樹脂製フィルム（包装材）、３０…取手部分、Ｙ１…収納箱、Ｙ１’…衛生薄葉紙製品、Ｘ１…衛生薄葉紙製品包装体。
【図１】
0005001124.tif 000003
【図２】
0005001124.tif 000004
【図３】
0005001124.tif 000005